(57)【要約】【課題】ユーザが小屋体の内部を確認しやすいようにしつつ、覚醒効果を高めるように照明器具を配置する。【解決手段】前部に開口部が形成された小屋体２と、背もたれ部１０を有する椅子１と、小屋体２の開口部を開閉する開閉部材３と、開閉部材３の内面に沿って設けられた光制御部材と、光制御部材に向かって光を照射する第１照明器具４とを備える。開閉部材３が閉状態であるときに、側面視において、第１照明器具４から鉛直方向（第１照明器具４の光軸の延びる方向）に延伸された直線を直線Ａ、直線Ａと開閉部材３の内面との交点を交点Ｏ、交点Ｏにおける開閉部材３の内面に対する法線を直線Ｂ、直線Ａと直線Ｂとのなす角度をθとした場合、椅子１は、直線Ａと、交点Ｏと背もたれ部１０の上端Ｔとを結ぶ直線Ｃとのなす角度が２θ±１０°となるように配置されている。【選択図】図３
2020156586.tif 000002
【特許請求の範囲】
【請求項１】
内部に空間を有し、該空間に出入りするための開口部が前部に形成された小屋体と、
前記小屋体内の空間の床部に設置され、背もたれ部を有する椅子と、
前記小屋体の開口部を開閉する開閉部材と、
前記開閉部材の空間側の面に設けられ、入射した入射光を反射させる光制御部材と、
前記小屋体に設けられ、前記光制御部材に向けて光を照射する照明器具と
を備え、
前記照明器具は、前記開閉部材が閉状態であるとき、光軸が前記光制御部材に向かうように配置されており、光を照射した場合、照射した光が前記光制御部材によって反射され、
前記椅子は、前記背もたれ部の上端が、前記光制御部材によって反射された反射光の光軸に対して、上下方向に±１０°以内の範囲に配置されている
ことを特徴とする仮眠システム。
【請求項２】
内部に空間を有し、該空間に出入りするための開口部が前部に形成された小屋体と、
前記小屋体内の空間の床部に設置され、背もたれ部を有する椅子と、
前記小屋体の開口部を開閉する開閉部材と、
前記開閉部材の空間側の面に設けられ、入射した入射光を反射させる光制御部材と、
前記小屋体の側壁部に設けられ、前記光制御部材に向けて光を照射する照明器具と
を備え、
前記椅子は、
前記開閉部材が閉状態であるとき、側面視において、前記照明器具の前端から上方に照射された照射光を、前記光制御部材によって反射させた反射光の第１光軸と、前記照明器具の後端から上方に照射された照射光を、前記光制御部材によって反射させた反射光の第２光軸との間の領域に、前記背もたれ部の上端が配置されている
ことを特徴とする仮眠システム。
【請求項３】
請求項２記載の仮眠システムにおいて、
前記椅子は、
側面視において、前記照明器具の上端から水平方向に延伸された第１直線と、前記照明器具の下端から水平方向に延伸された第２直線との間の領域に、前記背もたれ部の上端が配置されていることを特徴とする仮眠システム。
【発明の詳細な説明】
【技術分野】
【０００１】
本発明は、ユーザに対して覚醒を促すための照明器具が設けられた仮眠システムに関するものである。
【背景技術】
【０００２】
従来より、移動体に用いられる照明システムにおいて、ユーザの睡眠及び覚醒を支援するために照明を制御する技術が知られている（例えば、特許文献１）。
【先行技術文献】
【特許文献】
【０００３】
【特許文献１】特開２０１７−１５９８０３号公報
【発明の概要】
【発明が解決しようとする課題】
【０００４】
ところで、内部に空間が形成された小屋体内に椅子やベッド等を設置した仮眠システムが存在する。このような仮眠システムでは、椅子が小屋体によって取り囲まれるため、周囲からの視線を気にせずに、ユーザは仮眠を取ることができる。
【０００５】
しかし、このような仮眠システムでは、小屋体が小さく形成されることが多く、これに伴い、小屋体の入り口が狭くなる。このため、ユーザが小屋体に入室するときに、小屋体の内部の障害物（例えば、椅子など）を確認しにくくなる。
【０００６】
また、このような仮眠システムにおいて、覚醒効果を高めるような照明器具の配置は未だ提案されていない。
【０００７】
本発明は、仮眠システムにおいて、ユーザが小屋体の内部を確認しやすいようにしつつ、覚醒効果を高めるように照明器具を配置することを目的とする。
【課題を解決するための手段】
【０００８】
上記の目的を達成するために、仮眠システムは、内部に空間を有し、該空間に出入りするための開口部が前部に形成された小屋体と、前記小屋体内の空間の床部に設置され、背もたれ部を有する椅子と、前記小屋体の開口部を開閉する開閉部材と、前記開閉部材の空間側の面に設けられ、入射した入射光を反射させる光制御部材と、前記小屋体に設けられ、前記光制御部材に向けて光を照射する照明器具とを備える。前記照明器具は、前記開閉部材が閉状態であるとき、光軸が前記光制御部材に向かうように配置されており、光を照射した場合、照射した光が前記光制御部材によって反射される。前記椅子は、前記背もたれ部の上端が、前記光制御部材によって反射された反射光の光軸に対して、上下方向に±１０°以内の範囲に配置されている。
【発明の効果】
【０００９】
本発明によると、仮眠システムにおいて、ユーザが小屋体の内部を確認しやすいようにしつつ、覚醒効果を高めるように照明器具を配置することができる。
【図面の簡単な説明】
【００１０】
【図１】本実施形態に係る仮眠システムの平面図。
【図２】本実施形態に係る仮眠システムの側面図。
【図３】第１照明器具の配置について説明するための図。
【図４】第４照明器具の配置について説明するための図。
【図５】第４照明器具の配置について説明するための図。
【図６】第１照明器具の他の配置について説明するための図。
【発明を実施するための形態】
【００１１】
以下、本発明の実施形態を図面に基づいて詳細に説明する。以下の好ましい実施形態の説明は、本質的に例示に過ぎず、本発明、その適用物あるいはその用途を制限することを意図するものでは全くない。
【００１２】
−仮眠システムの構成−
図１は本実施形態に係る仮眠システムの平面図であり、図２は本実施形態に係る仮眠システムの側面図である。なお、図１および図２では、椅子１にユーザＵが着座した状態を図示している。また、図１では、開閉部材３を省略して図示しており、図２では、小屋体２における左側壁部２２を省略して図示している。また、以下の説明において、水平方向は、床部２４における上面と平行をなす方向であり、鉛直方向は、床部２４における上面と垂直をなす方向である。
【００１３】
図１および図２に示すように、本実施形態に係る仮眠システムは、背もたれ部１０を有する椅子１と、椅子１を取り囲むように形成された小屋体２とを備える。
【００１４】
椅子１は、ユーザＵが椅子１に自然に着座したときに、側面視において、背もたれ部１０の上端がユーザＵの目の位置と揃うように形成されている。
【００１５】
小屋体２は、椅子１の右側に配置された右側壁部２１と、椅子１の左側に配置された左側壁部２２と、椅子１の後側に配置された後側壁部２３と、椅子１が載置されている床部２４と、開閉部材３とを備える。右側壁部２１および左側壁部２２は、それぞれ、側面視において、上辺が後方から前方にかけて傾斜するように形成されている。
【００１６】
床部２４には、第１照明器具４と第２照明器具５と第３照明器具６とが設置されている。
【００１７】
第１照明器具４は、床部２４に埋め込んで設置されており、上部が透光性の部材で覆われている。また、第１照明器具４は、平面視において、椅子１の前側に配置されており、光軸が上側を向くように配置されている。第２照明器具５は、平面視において、椅子１の後側に配置されており、光軸が上側を向くように配置されている。第３照明器具６は、平面視において、椅子１の後側に配置されており、光軸が後側を向くように配置されている。
【００１８】
右側壁部２１には、第４照明器具７が設けられている。第４照明器具７は、右側壁部２１に埋め込んで設置されており、左側に向かって光を照射する。また、第４照明器具７は、光の拡散を行う拡散パネル９によって覆われている。このため、第４照明器具７から照射された光は、拡散パネル９によって拡散され、小屋体２内に照射される。
【００１９】
左側壁部２２には、給気装置１１が設置されており、給気装置１１によって小屋体２内に空気が供給される。
【００２０】
開閉部材３は、例えば、カーテンやシャッター等であり、折り畳み可能な部材により形成されている。開閉部材３は、椅子１の上側を覆うように、右側壁部２１と左側壁部２２との間に設けられる。具体的に、開閉部材３は、右側壁部２１および左側壁部２２の上辺に沿って、折り畳み可能に設けられる。すなわち、開閉部材３を折り畳むことにより、小屋体２の前部に形成された開口部（右側壁部２１、左側壁部２２、後側壁部２３および床部２４により形成される開口）が開放され、ユーザが小屋体２内に入室することができる一方、開閉部材３を伸張することにより、小屋体２の開口部を閉塞することができる。なお、図２では、折り畳まれた状態（開状態）の開閉部材３を実線で図示しており、伸張された状態（閉状態）の開閉部材３を二点鎖線で図示している。
【００２１】
また、開閉部材３は、遮光性の高い遮光性部材と光反射性の高い光制御部材とを備える。開閉部材３は、閉状態において、小屋体２の外側に遮光性の高い部材が配置され、小屋体２の内面に沿って光反射性の高い光制御部材が配置されるように設けられている。
【００２２】
−第１照明器具の配置について−
図３は第１照明器具の配置について説明するための図である。
【００２３】
開閉部材３は、ユーザＵが小屋体２内で仮眠を取るときに、閉状態になる。このとき、開閉部材３の内面に、光制御部材が配置される。また、第１照明器具４は、光軸が上側に向くように配置されている。このため、第１照明器具４から照射された光が開閉部材３の光制御部材によって反射される。
【００２４】
図３に示すように、直線Ａは、第１照明器具４の後端から第１照明器具４の光軸が延びる方向、すなわち、鉛直方向に延伸された直線であり、交点Ｏは、直線Ａと開閉部材３の内面との交点であり、直線Ｂは、交点Ｏにおける、開閉部材３の内面に対する法線である。直線Ａと直線Ｂとのなす角度を角度θとした場合、直線Ａと、交点Ｏから椅子１の背もたれ部１０の上端Ｔを結んだ直線Ｃとのなす角度が２θとなるように、第１照明器具４と椅子１とが配置されている。すなわち、開閉部材３の光制御部材によって反射された反射光の光軸が、背もたれ部１０の上端Ｔ付近に向く。したがって、第１照明器具４から照射された光が、開閉部材３の交点Ｏ付近において反射され、背もたれ部１０の上端Ｔ付近に照射される。
【００２５】
ここで、背もたれ部１０の上端Ｔと、椅子１に自然に着座したユーザＵの目の位置とは、側面視において、揃っている。このため、ユーザＵが椅子１に自然に着座した場合、ユーザＵの中心視と開閉部材３との交点が、交点Ｏと近接する。人の視野における、色変化を認識可能な色変化認識域は、中心視から左右方向および上下方向に３０〜４０°程度の領域であることから、第１照明器具４から光を照射することにより、開閉部材３の内面のうち、ユーザＵの色変化認識域に相当する部分を照らすことができる。
【００２６】
−第４照明器具の配置について−
図４および図５は第４照明器具の配置について説明するための図である。
【００２７】
図４に示すように、直線Ｄは、第４照明器具７における前端（拡散パネル９における前端）から鉛直方向に延伸された直線であり、交点Ｐは、直線Ｄと、開閉部材３が閉状態であるときの開閉部材３の内面との交点であり、直線Ｅは、交点Ｐにおける、開閉部材３の内面に対する法線である。直線Ｆは、直線Ｅに対して、直線Ｄを対称移動した直線である。
【００２８】
また、直線Ｇは、第４照明器具７における後端（拡散パネル９における後端）から鉛直方向に延伸された直線であり、交点Ｑは、直線Ｇと開閉部材３の内面との交点であり、直線Ｈは、交点Ｑにおける、開閉部材３の内面に対する法線である。直線Ｉは、直線Ｈに対して、直線Ｇを対称移動した直線である。
【００２９】
直線Ｆと直線Ｉとの間の領域に、背もたれ部１０の上端Ｔが配置されるように、第４照明器具７と椅子１とが配置されている。すなわち、開閉部材３が閉状態であるとき、第４照明器具７の前端から上方に照射された照射光を、開閉部材３における光反射部材によって反射させた反射光の第１光軸（直線Ｆ）と、第４照明器具７の後端から上方に照射された照射光を、開閉部材３における光反射部材によって反射させた反射光の第２光軸（直線Ｉ）との間の領域に、背もたれ部１０の上端Ｔが配置されている。このため、第４照明器具７から照射された光が、開閉部材３における交点Ｐと交点Ｑとの間の領域において反射されて、背もたれ部１０の上端Ｔ付近に照射される。ここで、ユーザＵが椅子１に自然に着座した場合、側面視において、ユーザＵの中心視と開閉部材３の内面との交点は、交点Ｐと交点Ｑとの間の領域に位置する。すなわち、第４照明器具７から光を照射することにより、開閉部材３の内面のうち、ユーザＵの色変化認識域に相当する部分を照らすことができる。
【００３０】
図５に示すように、直線Ｒは、第４照明器具７における上端（拡散パネル９における上端）から水平方向に延伸された直線であり、直線Ｓは、第４照明器具７における下端（拡散パネル９における下端）から水平方向に延伸された直線である。
【００３１】
直線Ｒと直線Ｓとの間の領域に、背もたれ部１０の上端Ｔが配置されるように、第４照明器具７と椅子１とが配置されている。このため、第４照明器具７から照射された光が、直接、背もたれ部１０の上端Ｔに照射される。すなわち、第４照明器具７から光を照射することにより、直接、ユーザＵの色変化認識域に対して光を照射できる。
【００３２】
−仮眠システムの動作について−
次に、本実施形態に係る仮眠システムの動作について、説明する。
【００３３】
まず、ユーザＵは、小屋体２の外部に設けられたコントローラ（図示省略）に、起床時刻を入力する。そして、ユーザＵは、開閉部材３を開状態にして、小屋体２内に入室する。このとき、椅子１の前側から上側にかけて、小屋体２の開口部が開放される。
【００３４】
そして、ユーザＵは、開閉部材３を閉状態にして、椅子１に着座し、仮眠を行う。
【００３５】
その後、コントローラに入力された起床時刻になったとき、第１照明器具４および第４照明器具７は、覚醒制御を行う。具体的に、第１照明器具４および第４照明器具７は光の照射を行う。このとき、第１照明器具４から照射された光が、開閉部材３における交点Ｏ付近において反射され、背もたれ部１０の上端Ｔ付近に照射される。また、第４照明器具７から照射された光が、直接、および、開閉部材３における交点Ｐと交点Ｑとの間の領域において反射されて、背もたれ部１０の上端Ｔ付近に照射される。すなわち、第１照明器具４および第４照明器具７から光を照射することにより、直接、ユーザＵの色変化認識域に対して光を照射できるとともに、開閉部材３の内面のうち、ユーザＵの色変化認識域に相当する部分を照らすことができる。
【００３６】
以上の構成により、本実施形態に係る仮眠システムは、前部に開口部が形成された小屋体２と、背もたれ部１０を有する椅子１と、小屋体２の開口部を開閉する開閉部材３と、開閉部材３に沿って設けられた光制御部材と、開閉部材３の内面（光制御部材）に向かって光を照射する第１照明器具４とを備える。開閉部材３が閉状態であるときに、側面視において、第１照明器具４から鉛直方向（第１照明器具４の光軸の延びる方向）に延伸された直線を直線Ａ、直線Ａと開閉部材３の内面との交点を交点Ｏ、交点Ｏにおける開閉部材３の内面に対する法線を直線Ｂ、直線Ａと直線Ｂとのなす角度をθとした場合、椅子１は、直線Ａと、交点Ｏと背もたれ部１０の上端Ｔとを結ぶ直線Ｃとのなす角度が２θとなるように配置されている。
【００３７】
これにより、開閉部材３を右側壁部２１および左側壁部２２の上辺に沿って折り畳むことによって、小屋体２の前部に設けられた開口部が開放されるため、ユーザＵが小屋体２内に入室するときに、小屋体２の内部を確認しやすくなる。
【００３８】
また、直線Ａと直線Ｃとのなす角度を２θに設定することにより、第１照明器具４が光を照射したとき、第１照明器具４から照射された光が開閉部材３の交点Ｏ付近において反射され、背もたれ部１０の上端Ｔ付近に照射される。すなわち、第１照明器具４から照射された光が開閉部材３の内面に沿って配置された光制御部材によって反射される。開閉部材３の光制御部材によって反射された反射光の光軸は、背もたれ部１０の上端Ｔ付近に向く。ここで、交点Ｏと、椅子１に自然に着座ユーザＵの中心視と開閉部材３の内面の交点とは近接することから、第１照明器具４から光を照射することにより、開閉部材３の内面のうち、ユーザＵの色変化認識域に相当する部分を照らすことができる。このため、ユーザＵに対して覚醒を促すことができる。
【００３９】
したがって、ユーザが小屋体の内部を確認しやすいようにしつつ、覚醒効果を高めるように照明器具を配置することができる。
【００４０】
また、第４照明器具７は、小屋体２の右側壁部２１に設けられている。開閉部材３が閉状態であるときに、側面視において、第４照明器具７の前端から鉛直方向に延伸された直線を直線Ｄ、直線Ｄと開閉部材３の内面との交点を交点Ｐ、交点Ｐにおける開閉部材３の内面に対する法線を直線Ｅ、第４照明器具７の後端から鉛直方向に延伸された直線を直線Ｇ、直線Ｇと開閉部材３の内面との交点を交点Ｑ、交点Ｑにおける開閉部材３の内面に対する法線を直線Ｈとした場合、椅子１は、直線Ｄを直線Ｅに対して対称移動した直線Ｆと、直線Ｇを直線Ｈに対して対称移動した直線Ｉとの間の領域に、背もたれ部１０の上端Ｔが位置するように設けられている。すなわち、椅子１は、開閉部材３が閉状態であるとき、第４照明器具７の前端から上方に照射された照射光を、開閉部材３における光反射部材によって反射させた反射光の第１光軸（直線Ｆ）と、第４照明器具７の後端から上方に照射された照射光を、開閉部材３における光反射部材によって反射させた反射光の第２光軸（直線Ｆ）との間の領域に、背もたれ部１０の上端Ｔが配置されている。これにより、椅子１に自然に着座したユーザＵの中心視と開閉部材３の内面との交点は、交点Ｐと交点Ｑとの間の領域に位置することから、第４照明器具７から光を照射することにより、開閉部材３の内面のうち、ユーザＵの色変化認識域に相当する部分を照らすことができる。したがって、第４照明器具７から光を照射することにより、ユーザＵに対して覚醒を促すことができる。
【００４１】
また、椅子１は、側面視において、第４照明器具７の上端から水平方向に延伸された直線Ｒと、第４照明器具７の下端から水平方向に延伸された直線Ｓとの間に、背もたれ部１０の上端Ｔが設けられている。すなわち、第４照明器具７から照射された光が、直接背もたれ部１０の上端Ｔ付近に照射される。これにより、椅子１に自然に着座したユーザＵの色変化認識域に対して、直接光を照射できるため、ユーザに対して覚醒を促すことができる。
【００４２】
（その他の実施形態）
以上のように、本出願において開示する技術の例示として、実施形態について説明した。しかしながら、本開示における技術は、これに限定されず、適宜、変更、置き換え、付加、省略などを行った実施形態にも適用可能である。また、上記実施形態で説明した各構成要素を組み合わせて、新たな実施の形態とすることも可能である。
【００４３】
図６は第１照明器具の他の配置について説明するための図である。図６では、後側壁部２３の上端部において、光軸が前側を向くように、第１照明器具４ａが配置されている。この場合、開閉部材３が閉状態であるときに、第１照明器具４が照射した光が、開閉部材３の内面に反射して、背もたれ部１０の上端Ｔ付近に照射される。すなわち、開閉部材３の内面のうち、ユーザＵの色変化認識域に相当する部分を照らすことができる。したがって、第１照明器具４を、小屋体２における天井部に相当する、後側壁部２３の上端部に配置してもよいし、小屋体２における壁部に相当する、後側壁部２３に配置してもよい。
【００４４】
なお、上記実施形態において、背もたれ部１０の上端Ｔは、ユーザＵが椅子１に自然に着座したときに、側面視において、ユーザＵの目の位置に揃うように形成されているものとする。すなわち、上記実施形態における背もたれ部１０の上端Ｔとは、側面視において、ユーザＵが椅子１に自然に着座したときに、背もたれ部１０における、ユーザＵの目に揃う位置のことを指す。このため、ユーザＵが椅子１に自然に着座したときに、側面視において、実際の背もたれ部１０の上端ＴがユーザＵの目の位置に揃っていない場合（例えば、背もたれ部１０が上側に非常に長い場合等）、背もたれ部１０における、ユーザＵの目の位置に揃う箇所が背もたれ部１０の上端Ｔに相当する。したがって、例えば、意匠的な飾りや移動・運搬用のハンドルが背もたれ部１０における、ユーザＵの目の位置に相当する部分よりも上部に取り付けられていた場合、この意匠的な飾りや移動・運搬用のハンドルは、背もたれ部１０には含まれない。
【００４５】
また、上記実施形態において、椅子１および第１照明器具４は、直線Ａと直線Ｃとのなす角度が２θとなるように配置されているが、これに限られない。直線Ａと直線Ｃとのなす角度が（２θ＋１０°）〜（２θ−１０°）の範囲に収まるように、椅子１および第１照明器具４を配置してもよい。この場合でも、開閉部材３の内面において、椅子１に自然に着座したユーザＵの色変化認識域に相当する部分を照らすことができる。すなわち、椅子１は、背もたれ部１０の上端Ｔが、光制御部材によって反射された反射光の光軸に対して、上下方向に±１０°以内の範囲に配置されていることが好ましい。
【００４６】
また、上記実施形態において、椅子１をリクライニング式の椅子としてもよい。この場合、直線Ａと直線Ｃとのなす角度が（２θ＋１０°）〜（２θ−１０°）の範囲に収まるように、背もたれ部１０の上端Ｔを変動可能にしてもよい。また、直線Ｆと直線Ｉとの間の領域において、背もたれ部１０の上端Ｔを変動可能にしてもよい。また、直線Ｒと直線Ｓとの間の領域において、背もたれ部１０の上端Ｔを変動可能にしてもよい。
【００４７】
また、上記実施形態において、第１照明器具４の後端から鉛直方向に直線Ａを延ばしているが、これに限られない。第１照明器具４の前端から後端までの間の位置から鉛直方向に直線Ａを延ばしてもよい。
【００４８】
また、上記実施形態において、第１照明器具４の光軸は、上側に向かっているが、これに限られない。例えば、第１照明器具４は、光軸が前後方向または左右方向に傾いていてもよい。
【００４９】
また、上記実施形態において、第１照明器具４の光軸は、光強度が最大値となる方向のみに限られない。例えば、ユーザに対して覚醒を十分に促すことができる光量を確保できる方向（例えば、光強度の最大値に対して半分の値となる方向等）を、第１照明器具４の光軸としてもよい。
【００５０】
また、上記実施形態において、第１照明器具４および第４照明器具７は、覚醒制御を実行する場合、起床時刻から所定時刻にかけて、輝度を徐々に増加させた後、一定にする制御を行ってもよい。この場合、覚醒制御時における、第１照明器具４および第４照明器具７の制御パラメータに、起床時刻から所定時刻までの長さ、最大輝度、最大輝度に到達するまでの所要時間、最大輝度が維持される時間、および、最大輝度に到達するまでの輝度のカーブの形状等が含まれてもよい。また、輝度のカーブの形状には、直線状、上に凸状、下に凸状などの形状が含まれてもよい。
【００５１】
また、上記実施形態において、第１照明器具４および第４照明器具７は、覚醒制御を実行する場合、明るさに代えて、または、明るさに加えて発光色（第１照明器具４および第４照明器具７が発する光の色度）が変更されてもよい。この場合、色度図にしたがって色変化させてもよい。例えば、色度図のｂ点からａ点まで色度を変化させる場合、覚醒制御時における、第１照明器具４および第４照明器具７の制御パラメータに、対象期間の長さ、ａ点の色度、色度がｂ点からａ点に到達するまでの所要時間、ａ点の色度が維持される時間、および、ａ点の色度に到達するまでの色度のカーブの形状等が含まれてもよい。
【００５２】
また、上記実施形態において、第１照明器具４および第４照明器具７が覚醒制御を実行するときに、第２照明器具５および第３照明器具６から光を照射してもよい。
【００５３】
また、上記実施形態において、コントローラに入眠時刻を設定できるようにしてもよい。この場合、入眠時刻になったときに、第１照明器具４、第２照明器具５、第３照明器具６および第４照明器具７が、ユーザに対して入眠を促す光を照射してもよい。
【００５４】
また、上記実施形態において、開閉部材３は、右側壁部２１および左側壁部２２の上辺に沿って設けられるが、開閉部材３の配置は、これに限られない。開閉部材３は、小屋体２の開口部を覆うように設けられていればよい。
【００５５】
また、上記実施形態において、第１照明器具４および第４照明器具７のいずれか一方が設けられていなくてもよい。
【００５６】
また、上記実施形態において、第４照明器具７を左側壁部２２に設けてもよい。
【００５７】
また、上記実施形態において、小屋体２にスピーカを設けて、第１照明器具４および第４照明器具７が覚醒制御を実行するときに、スピーカから覚醒を促す音声を出力してもよい。
【００５８】
また、上記実施形態において、光制御部材は、開閉部材３の内面に沿うように形成されている。このため、図１〜図６では、光制御部材は、曲面形状で描写されているが、これに限られず、平面形状であってもよい。
【００５９】
また、上記実施形態において、光制御部材は、第１照明器具４および第４照明器具７からの入射光を、背もたれ部１０の上端Ｔ、すなわち、ユーザＵの目の位置に反射するとしたが、これに限られない。例えば、光制御部材が入射光を拡散して反射する部材である場合、光制御部材によって拡散された拡散光のうち、光強度が一定強度以上（例えば、光強度が最大値の半分程度）の光がユーザの目の位置に到達するように、光制御部材を配置してもよい。
【符号の説明】
【００６０】
１  椅子
２  小屋体
３  開閉部材
４，４ａ  第１照明器具
７  第４照明器具
１０  背もたれ部
２１  右側壁部
２２  左側壁部
２３  後側壁部
２４  床部
Ｕ  ユーザ
【図１】
2020156586.tif 000003
【図２】
2020156586.tif 000004
【図３】
2020156586.tif 000005
【図４】
2020156586.tif 000006
【図５】
2020156586.tif 000007
【図６】
2020156586.tif 000008